(57)【要約】【課題】上下２段のトレイのうち何れのトレイに載置された被記録媒体に画像が記録されるかをユーザに容易に識別させることができる画像記録装置を提供する。【解決手段】画像記録装置はプリンタ筐体とトレイ体１６とを備える。トレイ体１６は、メイントレイ６０と、メイントレイ６０の上方に回動可能に設けられたセカンドトレイ７０とを備える。セカンドトレイ７０は、半回転することにより、第２被記録媒体が載置される第１面７３が上面となる第１姿勢又は第１面７３が下面となる第２姿勢になる。第１姿勢において第１面７３に載置された第２被記録媒体が給送される。第２姿勢においてメイントレイ６０に載置された第１被記録媒体が給送される。セカンドトレイ７０が半回転することにより、第１面７３に第２被記録媒体を載置可能又は載置不能となり、何れのトレイから被記録媒体が給送されるかをユーザに容易に識別させることができる。【選択図】図６
2012116646.tif 000002
【特許請求の範囲】
【請求項１】
本体と、
上記本体に装着され、且つ、被記録媒体が載置可能なトレイ体と、
上記トレイ体に載置された被記録媒体を送り出す給送部と、
上記給送部により送り出された被記録媒体に画像を記録する記録部と、を備え、
上記トレイ体は、
第１被記録媒体を載置可能な第１トレイと、
上記第１トレイの上方に配置されており、第２被記録媒体を載置可能な第１面を有し、当該第１面に載置された第２被記録媒体が上記給送部により送り出される第１姿勢及び上記第１トレイに載置された第１被記録媒体が上記給送部により送り出される第２姿勢に姿勢変化可能に設けられた第２トレイと、を備え、
上記第２トレイは、上記第１姿勢において上記第１面が上面となり、上記第２姿勢において上記第１面が下面となるものである画像記録装置。
【請求項２】
上記本体は、上記記録部によって画像が記録された被記録媒体を排出する排出部を備えており、
上記第２トレイは、上記第１面の裏面である第２面を備え、上記第２姿勢において、上記排出部の下方に配置され、上記排出部から排出された被記録媒体を上記第２面で支持するものである請求項１に記載の画像記録装置。
【請求項３】
上記第２トレイは、上記第１姿勢と上記第２姿勢との間で回動可能に上記第１トレイに支持される回動軸部を備えたものである請求項１又は２に記載の画像記録装置。
【請求項４】
上記第２トレイは、上記第２面よりも上記第１面に近い位置に上記回動軸部を備え、
上記第２姿勢における上記第２面は、上記第１姿勢における上記第１面よりも上方に位置するものである請求項３に記載の画像記録装置
【請求項５】
上記第２トレイは、上記第２姿勢における第２被記録媒体を保持する保持部を更に備え、
上記保持部は、
上記第１面に対向する第１保持部と、
上記回動軸部側に形成され第２被記録媒体の載置側に向かって突出した第２保持部と、
を備えたものである請求項３又は４に記載の画像記録装置。
【請求項６】
上記トレイ体は、上記第２姿勢にある上記第２トレイを上記第２姿勢のままにロックするロック部を備えたものである請求項１から５のいずれかに記載の画像記録装置。
【請求項７】
上記トレイ体は、上記第１トレイに支持された第３トレイを備え、
上記第３トレイは、上記第２トレイが上記第１姿勢であると、上記排出部から排出された第２被記録媒体を支持し、上記第２トレイが上記第２姿勢であると、上記第２トレイの上記第２面と共に上記排出部から排出された第１被記録媒体を支持するものである請求項２から６のいずれかに記載の画像記録装置。
【請求項８】
上記第３トレイは、上記第２姿勢にある上記第２トレイの下方且つ上記第１トレイの上方にて上記第１トレイの上方を開放するよう回動可能に設けられ、回動される場合に操作される操作部を備えたものである請求項７に記載の画像記録装置。
【発明の詳細な説明】
【技術分野】
【０００１】
本発明は、被記録媒体を載置できるトレイ体を備えた画像記録装置に関する。
【背景技術】
【０００２】
従来より、プリンタや、印刷・スキャン・コピー機能等を備えた複合機などの画像記録装置が提供されている。画像記録装置には、本体と、本体に装着されたトレイ体と、を備えたものがある。本体は、トレイ体に載置された被記録媒体を送り出す給送部と、送り出された被記録媒体に画像を記録する記録部と、を収容している。給送部は、例えば上下方向に揺動可能に本体に支持され且つ弾性部材などで下方に付勢された給送ローラである。給送ローラは、トレイ体に載置された被記録媒体に押圧され、回転されることで被記録媒体を送り出す。
【０００３】
この種の画像記録装置には、トレイ体が、第１被記録媒体を載置可能なメイントレイの上に、第２被記録媒体を載置可能なセカンドトレイを配した上下２段に構成されたものがある（例えば、特許文献１参照）。特許文献１に記載された画像記録装置では、セカンドトレイは、メイントレイと給送部との間に割り込んだ第１位置と、給送部から離間した第２位置と、の間でメイントレイ上をスライドする。セカンドトレイが第２位置にあるとき、給送ローラは、下段のメイントレイに載置された第１被記録媒体に押圧され、第１被記録媒体を送り出す。セカンドトレイが第1位置にあるとき、給送ローラは、上段のセカンドトレイに載置された第２被記録媒体に押圧され、第２被記録媒体を送り出す。ユーザは、セカンドトレイの位置を変えることで、画像が記録される被記録媒体を選択する。
【先行技術文献】
【特許文献】
【０００４】
【特許文献１】特開２００７−２３０７７７号公報
【発明の概要】
【発明が解決しようとする課題】
【０００５】
特許文献１に記載の画像記録装置では、セカンドトレイは載置面が水平な状態を保ったままでメイントレイ上をスライドする。第１位置と第２位置の両位置において第２被記録媒体を上記載置面に載置可能であるので、ユーザは、メイントレイ上におけるセカンドトレイの位置のみにより、どのトレイから被記録媒体が送り出されるかを判断しなければならい。つまり、特許文献１に記載の画像記録装置には、どのトレイに載置された被記録媒体に画像が記録されるかを容易に判断できないという問題があった。
【０００６】
本発明は、上記問題に鑑みてなされたものであり、上下２つのトレイの何れから被記録媒体が給送されるかをユーザに容易に識別させることができる画像記録装置を提供することを目的とする。
【課題を解決するための手段】
【０００７】
本発明の画像記録装置は、本体と、この本体に装着され且つ被記録媒体が載置可能なトレイ体と、このトレイ体に載置された被記録媒体を送り出す給送部と、この給送部により送り出された被記録媒体に画像を記録する記録部と、を備えている。上記トレイ体は、第１被記録媒体を載置可能な第１トレイと、この第１トレイの上方に配置された第２トレイと、を備えている。この第２トレイは、第２被記録媒体を載置可能な第１面を有し、当該第１面に載置された第２被記録媒体が上記給送部により送り出される第１姿勢及び上記第１トレイに載置された第１被記録媒体が上記給送部により送り出される第２姿勢に姿勢変化可能に設けられている。上記第２トレイは、上記第１姿勢において上記第１面が上面となり、上記第２姿勢において上記第１面が下面となるものである。
【０００８】
本発明では、第２被記録媒体が送り出される上記第１姿勢においては、上記第１面は上面であり、上記第１面に第２被記録媒体をユーザが載置することができる。一方、第１被記録媒体が送り出される上記第２姿勢においては、上記第１面は下面であり、上記第１面に第２被記録媒体をユーザが載置することができない。
【０００９】
本発明では、上記第２トレイの位置に加え、上記第１面に被記録媒体が載置可能か否かにより、第１被記録媒体が送り出される状態か、第２被記録媒体が送り出される状態かをユーザに識別させることができる。従って、上記第２トレイの位置の違いのみによって上記状態の違いをユーザに識別させる従来の画像記録装置よりも容易に上記状態の違いをユーザに識別させることができる。
【発明の効果】
【００１０】
本発明によれば、上下２つのトレイの何れから被記録媒体が給送されるかをユーザに容易に識別させることができる画像記録装置を実現することができる。
【図面の簡単な説明】
【００１１】
【図１】画像記録装置本体の斜視図である。
【図２】プリンタ部の模式的な断面図である。
【図３】給送部及びトレイ体の斜視図である。
【図４】セカンドトレイが第１姿勢である状態でのトレイ体の斜視図である。
【図５】セカンドトレイが第２姿勢である状態でのトレイ体の斜視図である。
【図６】（Ａ）は、セカンドトレイが第１姿勢である状態でのトレイ体の中央断面図で、（Ｂ）は、セカンドトレイが第２姿勢である状態でのトレイ体の中央断面図である。
【図７】（Ａ）は、セカンドトレイが嵌合凹所に収容された状態且つ排紙トレイが開姿勢である状態でのトレイ体の模式的な側面図であり、（Ｂ）は、セカンドトレイが第１姿勢である状態且つ排紙トレイが開姿勢である状態でのトレイ体の模式的な側面図である。
【図８】（Ａ）は、セカンドトレイが第２姿勢である状態でのトレイ体の模式的な側面図であり、（Ｂ）は、セカンドトレイが補給姿勢である状態でのトレイ体の模式的な側面図であり、（Ｃ）は、セカンドトレイが第１姿勢である状態でのトレイ体の模式的な側面図である。
【図９】変形例１の図であって、（Ａ）は、セカンドトレイが第１姿勢である状態でのトレイ体の平面図で、（Ｂ）は、セカンドトレイが第１姿勢である状態でのトレイ体の側面図で、（Ｃ）は、セカンドトレイが第２姿勢である状態でのトレイ体の側面図である。
【発明を実施するための形態】
【００１２】
以下、適宜図面が参照されて本発明の実施形態が説明される。なお、以下に説明される実施形態は本発明の一例にすぎず、本発明の要旨を変更しない範囲で本発明の実施形態を適宜変更できることは言うまでもない。
【００１３】
本実施形態では、図１に示された画像記録装置本体１１と、この画像記録装置本体１１に装着される図４のトレイ体１６と、を備えた画像記録装置が説明される。画像記録装置本体１１は、図１に示されたように外形が概ね直方体状となる形状に形成されている。画像記録装置本体１１が台などに載置された状態における画像記録装置本体１１の高さ方向が上下方向７と定義され、奥行き方向が前後方向８と定義され、幅方向が左右方向９と定義され、以下説明がされる。また、トレイ体１６は、特に言及されない限り、図２に示されたように画像記録装置本体１１に装着されているものとして説明がされる。
【００１４】
［画像記録装置本体１１］
図１に示されたように、画像記録装置本体１１は、プリンタ筐体１２と、このプリンタ筐体１２の上側に配置されたスキャナ筐体１３と、を備えている。つまり、本実施形態の画像記録装置は、印刷、スキャン、コピー機能等を有する、いわゆる複合機である。但し、本発明は、印刷機能のみを有するプリンタなどの他の画像記録装置にも用いることができる。
【００１５】
プリンタ筐体１２は、トレイ体１６（図４参照）が出し入れされる開口１７を前面の下部に備えている。プリンタ筐体１２は、トレイ体１６を取り外せるように設けられてもよいし、トレイ体１６を取り外せないように設けられてもよい。プリンタ筐体１２は請求項に記載の本体に相当する。
【００１６】
また、プリンタ筐体１２は、トレイ体１６に収容される被記録媒体１９に画像を記録するプリンタ部１５（図２参照）を収容している。被記録媒体１９としては、Ａ４やＢ５サイズの記録用紙や、葉書や、封書や、プラスチックシートなど可撓性を有するシート状のものが用いられる。プリンタ部１５の制御は、不図示の制御部により行われる。制御部は、例えば、基板に実装されたマイコンなどにより実現される。制御部は、プリンタ筐体１２に設けられた操作入力部１８やパソコンなどの外部機器から入力された情報によりプリンタ部１５の動作を制御して画像の記録を行う。
【００１７】
［プリンタ部１５］
図２に示されたように、プリンタ部１５は、給送部２０と、搬送部３０と、記録部４０と、給送部２０や搬送部３０や記録部４０等を駆動させる不図示の駆動部と、を備えている。駆動部は、複数個の駆動モータと、この駆動モータの駆動力を給送部２０や搬送部３０や記録部４０等に伝達する駆動伝達機構と、を備えている。駆動モータは上述の制御部により駆動制御される。給送部２０は請求項に記載の給送部に相当し、記録部４０は請求項に記載の記録部に相当する。
【００１８】
給送部２０は、図３に示されたように、回転軸２１と、アーム２２と、給送ローラ２３と、を備えている。回転軸２１は、左右方向９に沿って延びる丸棒状に形成されている。回転軸２１は、トレイ体１６の後部の上方に配置され、不図示のフレームに回転可能に保持されている。回転軸２１の左端部は、左右方向９におけるトレイ体１６の中央部の上方に位置している。回転軸２１の右端は、トレイ体１６の右端の上方に位置している。回転軸２１の右端部には、上述の駆動部により回転されるギア２５が結合されている。回転軸２１は、ギア２５を介して駆動部により回転される。
【００１９】
アーム２２は、回転軸２１から後方斜め下に向かって延びるように設けられている。アーム２２は、回転軸２１側の一端において回転軸２１に回動可能に支持され、他端において、トレイ体１６の後部の上方に配置された給送ローラ２３を回転可能に支持している。つまり、アーム２２は、トレイ体１６の後部の上方に配置された給送ローラ２３を上下に変位可能且つ回転可能に支持している。アーム２２は、自重又はばねなどにより付勢されることにより、上記他端に設けられた給送ローラ２３をトレイ体１６に収容された被記録媒体１９に上方から押し付ける。
【００２０】
アーム２２は、左右方向９におけるトレイ体１６の中央付近から右端に渡る摺接部２２Ａを備えている。この摺接部２２Ａは、トレイ体１６がスライドされた場合において、トレイ体１６に設けられた後述の第１摺接面６２Ａ及び第２摺接面７２Ａに摺接可能に形成されている。アーム２２は、トレイ体１６がプリンタ筐体１２に装着されると、摺接部２２Ａにおいて第１摺接面６２Ａと第２摺接７２Ａとの何れか一方に摺接することで回動し、被記録媒体１９に給送ローラ２３を押し付ける。詳しくは後述される。
【００２１】
回転軸２１の回転を給送ローラ２３に伝達する複数個の伝達ギア２４がアーム２２の左端部に設けられている。アーム２２により被記録媒体１９に押し付けられた給送ローラ２３は、伝達ギア２４を介して回転軸２１により回転されることにより、被記録媒体１９を後方に送り出す。送り出された被記録媒体１９は、以下に説明される搬送部３０により搬送される。
【００２２】
［搬送部３０］
図２に示されたように、搬送部３０は、搬送路３１と、搬送ローラ対５１と、排紙ローラ対５４と、を備えている。搬送路３１は、複数個のガイド部材３４及びプラテン３５により形成されている。図２では、複数個のガイド部材３４のうち一部のガイド部材３４のみが図示されている。搬送路３１は、湾曲することでトレイ体１６の後端からトレイ体１６の上方に向い、その後、前方に向かって直線状に延びる。プラテン３５は、トレイ体１６の上方に配置されており、搬送路３１の直線状に延びる部分の下側を形成している。
【００２３】
［搬送ローラ対５１、排紙ローラ対５４］
搬送ローラ対５１は、上述の駆動部により回転される第１駆動ローラ５２と、この第１駆動ローラ５２にばねなどにより押圧された第１従動ローラ５３と、を備えている。排紙ローラ対５４は、上述の駆動部により回転される第２駆動ローラ５５と、この第２駆動ローラ５５にばねなどにより押圧された第２従動ローラ５６と、を備えている。搬送ローラ対５１及び排紙ローラ対５４は、被記録媒体１９を挟んで搬送する。
【００２４】
搬送ローラ対５１はプラテン３５の後方に配置されている。排紙ローラ対５４は、プラテン３５の前方であって、且つ、前後方向８におけるトレイ体１６の中央部の上方となる位置に配置されている。被記録媒体１９は、搬送ローラ対５１と排紙ローラ対５４との少なくとも一方によりプラテン３５上を前方に向かって搬送される。搬送された被記録媒体１９は、プラテン３５上において、以下に説明される記録部４０により画像を記録される。
【００２５】
［記録部４０］
記録部４０は、プラテン３５の上方に配置されたキャリッジ４１と、このキャリッジ４１に保持された記録ヘッド４２と、を備えている。キャリッジ４１は、不図示のレール部材により左右方向９に沿って移動可能に支持されている。記録ヘッド４２は、プラテン３５上を通過する被記録媒体１９に向けてインクを吐出する。左右方向９に沿う記録ヘッド４２の移動と前方への被記録媒体１９の搬送とにより、記録部４０は、被記録媒体１９のほぼ全面に画像を記録することができる。なお、上述のようなインクジェット記録方式により画像を記録する記録部４０の代わりに、電子写真記録方式により画像を記録する記録部が用いられてもよい。画像が記録された被記録媒体１９は、排紙ローラ対５４から排出され、以下に説明されるトレイ体１６で受けられる。排紙ローラ対５４は請求項に記載の排出部に相当する。
【００２６】
［トレイ体１６］
トレイ体１６は、図４〜６に示されたように、メイントレイ６０と、セカンドトレイ７０と、排受トレイ８０と、を備えている。トレイ体１６は請求項に記載のトレイ体に相当する。メイントレイ６０は請求項に記載の第１トレイに相当する。セカンドトレイ７０は請求項に記載の第２トレイに相当する。排紙トレイ８０は請求項に記載の第３トレイに相当する。
【００２７】
Ａ４やＢ５サイズなどの大型の被記録媒体１９はメイントレイ６０に載置される。葉書や封書などの小型の被記録媒体１９はメイントレイ６０又はセカンドトレイ７０に載置される。以下では、メイントレイ６０に載置される被記録媒体１９を第１被記録媒体１９Ａとし、セカンドトレイ７０に載置される被記録媒体１９を第２被記録媒体１９Ｂとして説明がされる。なお、後述される変形例１のように、セカンドトレイ７０は、大型の被記録媒体１９を載置可能な大きさに形成されてもよい。
【００２８】
［メイントレイ６０］
メイントレイ６０は、高さが低く上部が開口する扁平な箱状に形成されており、底６１と、左右の側壁６２と、後壁６３と、前壁６４と、を備えている。メイントレイ６０は、例えば合成樹脂材料を用いて形成される。第１被記録媒体１９Ａは、底６１の上面である第１載置面６１Ａに載置される。
【００２９】
メイントレイ６０は、第１サイドガイド機構６５及び不図示の第１リアガイドを備えている。第１サイドガイド機構６５は、第１載置面６１Ａに載置された第１被記録媒体１９Ａの左右方向９の位置決めの機能及び給送ローラ２３により送り出される第１被記録媒体１９Ａの斜行を防止する機能を備えている。第１リアガイドは、第１被記録媒体１９Ａの前後方向８の位置決めを行う機能を備えている。第１サイドガイド機構６５及び第１リアガイドは、例えば、セカンドトレイ７０に設けられている後述の第２サイドガイド機構９０及び第２リアガイド１００と同様の構成のものが用いられる。
【００３０】
メイントレイ６０の後壁６３の内側面は、底６１の後端から後方斜め上に向かって延び、底６１の上面である第１載置面６１Ａに対して傾斜している。後壁６３の内側面は、給送ローラ２３により送り出された第１被記録媒体１９Ａ及び第２被記録媒体１９Ｂを搬送路３１に案内する。
【００３１】
また、メイントレイ６０の後壁６３には、左右一対の矩形状の嵌合切欠き６７が設けられている。この嵌合切欠き６７は、後壁６３の上端から切り欠かれている。メイントレイ６０の右の側壁６２には、前方に向かうに従って下がる第１摺接面６２Ａが上面の一部として設けられている。嵌合切欠き６７及び第１摺接面６２Ａの機能については後述される。
【００３２】
また、メイントレイ６０の左右の側壁６２には、排紙トレイ８０を回動可能に支持する不図示の支持部が設けられている。排紙トレイ８０に回動軸が設けられた場合は、支持部は、例えば、回動軸が挿入される孔などである。支持部は、前後方向８における側壁６２の中央付近に設けられている。
【００３３】
［セカンドトレイ７０］
図４〜６に示されたように、セカンドトレイ７０は、矩形板状の基部７１と、左右の支持脚７２と、を備えている。セカンドトレイ７０は、例えば、合成樹脂材料で形成される。
【００３４】
基部７１の左右方向９の幅寸法は、メイントレイ６０の左右方向９の幅寸法よりも小さく、且つ、葉書や封書などの短手方向の横寸法よりも大きく設定されている。図示例では、基部７１の幅寸法は、メイントレイ６０の幅寸法の半分程度に設定されている。基部７１の前後方向８の奥行き寸法は、葉書や封書などの長手方向の縦寸法よりも大きく設定されている。図示例では、基部７１の奥行き寸法は、メイントレイ６０の前後方向８の奥行き寸法の半分程度に設定されている。つまり、セカンドトレイ７０は、葉書や封書を載置可能な大きさに形成されている。
【００３５】
基部７１の左右両端面からは、左右一対の円柱状の軸突部８５が突出している。軸突部８５の中心軸は左右方向９に沿っている。軸突部８５は、後述の排紙トレイ８０の嵌合凹所８１の左右の第１周壁８２に設けられた円形の挿入孔８２Ａに挿入される。つまり、セカンドトレイ７０は、回動可能に後述の排紙トレイ８０に支持される。軸突部８５は、請求項に記載の回動軸部に相当する。なお、セカンドトレイ７０を回動可能に支持できるのであれば、他の構成が採用されてもよい。
基部７１は、軸突部８５を中心に１８０度回転することにより、図４及び図６（Ａ）の第１姿勢と、図５及び図６（Ｂ）の第２姿勢とに姿勢変化する。第１姿勢は請求項に記載の第１姿勢に相当する。第２姿勢は請求項に記載の第２姿勢に相当する。
【００３６】
基部７１は、第１姿勢及び第２姿勢において、厚み方向において互いに対向する両面が略水平となる。この両面のうち、第１姿勢において上面となる方の面を第１面７３とし、下面となる方の面を第２面７４として、以下説明がされる。第２被記録媒体１９Ｂは、第１面７３に載置される。すなわち、第１面７３が上面となる第１姿勢においては、ユーザは、第２被記録媒体１９Ｂを第１面７３に載置することができるが、第１面７３が下面となる第２姿勢においては、第２被記録媒体１９Ｂを第１面７３に載置することができない。なお、第２面７４は、後述されるように、画像記録後の被記録媒体１９を受ける面である。第１面７３は請求項に記載の第１面に相当する。第２面７４は請求項に記載の第２面に相当する。
【００３７】
軸突部８５は、第１姿勢において、基部７１がメイントレイ６０の後部の上方にあり、第２姿勢において、基部７１がメイントレイ６０の前部の上方となる位置に設けられている。具体的には、軸突部８５は、第１姿勢における基部７１の前端部に設けられている。基部７１は、第１姿勢において、メイントレイ６０の第１載置面６１Ａと給送ローラ２３との間に割り込み、第１面７３に載置された第２被記録媒体１９Ｂを給送ローラ２３に当接させる。詳しくは後述される。
【００３８】
また、軸突部８５は、第１姿勢における第１面７３よりも、第２姿勢における第２面７４が上方となる位置に設けられている。具体的には、軸突部８５は、第２面７４よりも第１面７３に近い位置に設けられている。第１姿勢における第１面７３よりも第２姿勢における第２面７４の方が上方となるから、セカンドトレイがスライドする従来構成の画像記録装置に比べ、排紙受け面であるセカンドトレイ７０の第２面７４と排紙ローラ対５４との間の離間距離を小さくすることができる。従って、上記従来構成の画像記録装置とは異なり、記録部４０の下方に大きな空間を設けることなく上記離間距離を小さくすることができる。その結果、第１被記録媒体１９Ａを正常に受けることができ、且つ、小型の画像記録装置を実現することができる。
【００３９】
セカンドトレイ７０は、第１姿勢においてはメイントレイ６０及び排紙トレイ８０に支持され、第２姿勢においては排紙トレイ８０に支持される。以下、詳しく説明がされる。図４の第１姿勢における基部７１の後端である回動先端からは、左右一対の嵌合片７５が突出している。この嵌合片７５は、第１姿勢にある基部７１の後端から後方斜め上に向かって突出している。嵌合片７５は、第１姿勢において、メイントレイ６０の後壁６３に設けられた上述の嵌合切欠き６７に嵌る位置及び形状に形成されている。嵌合片７５は、第１姿勢において、左右方向９における基部７１の位置決めを行うと共に、メイントレイ６０の後壁６３に支持される。第１姿勢において、図４における基部７１の前端部は排紙トレイ８０の軸突部８５に支持され、図４における基部７１の後端部はメイントレイ６０の後壁６３に支持される。つまり、第１姿勢にあるセカンドトレイ７０はメイントレイ６０及び排紙トレイ８０に支持される。
【００４０】
嵌合片７５は、後述される第２リアガイド１００と共に第１面７３に載置された第２被記録媒体１９Ｂを基部７１の回動における径方向において挟み、当該径方向（第１姿勢においては、前後方向８）における第２被記録媒体１９Ｂの位置決めを行う。つまり、嵌合片７５は、左右方向９における基部７１の位置決めと、第１姿勢における基部７１の回動先端部の支持と、上記径方向における第２被記録媒体１９Ｂの位置決めと、に用いられている。
【００４１】
セカンドトレイ７０の左右の支持脚７２は、第１面７３の左右両端部から第１面７３の法線方向に沿って突出している。この支持脚７２は、基部７１の左右両端に沿って延びるリブ状に形成されている。支持脚７２の突出の先端は、第２姿勢において排紙トレイ８０に設けられた後述の嵌合凹所８１の底８４に当接する。つまり、第２姿勢にあるセカンドトレイ７０は、左右の支持脚７２により排紙トレイ８０に支持される。
【００４２】
セカンドトレイ７０は、排紙トレイ８０に係止されるための左右一対の被係止リブ７６を備えている。この被係止リブ７６は、左右の各支持脚７２の外側面の回動先端側から左向き又は右向きに突出している。被係止リブ７６は、図４の第１姿勢において、前後方向８に沿って延び、且つ、厚み方向が上下方向７に一致する構成を有している。被係止リブ７６によるセカンドトレイ７０の係止については、排紙トレイ８０と共に後述される。
【００４３】
右側の支持脚７２及び後述される右側のサイドガイド９２の側板９４は、第１姿勢において、前方に向かうに従って下がる第２摺接面７２Ａを上面の一部としてそれぞれ備えている。図６（Ａ）に示されたように、第２摺接面７２Ａは、第１摺接面６２Ａよりも上方となる位置に設けられている。なお、右側の支持脚７２と右側の第２サイドガイド９２の側板９４との一方のみに第２摺接面７２Ａが設けられ、他方には、アーム２２の摺接部２２Ａとの当接を回避する切欠きが設けられた構成を採用することもできる。
【００４４】
セカンドトレイ７０が第１姿勢にある状態において、プリンタ筐体１２から引き出されていたトレイ体１６がプリンタ筐体１２に押し込まれた時における給送部２０の動作について説明がされる。トレイ体１６がプリンタ筐体１２に押し込まれると、まず、アーム２２は、メイントレイ６０の後壁６３に摺接することで持ち上げられる。持ち上げられたアーム２２は、セカンドトレイ７０の右側の支持脚７２又はメイントレイ６０の右側の側壁６２に乗り上げる。上述のように、第２摺接面７２Ａは第１摺接面６２Ａよりも上方に位置するから、トレイ体１６がプリンタ筐体１２に押し込まれると、アーム２２の摺接部２２Ａは第２摺接面７２Ａに摺接する。アーム２２の摺接部２２Ａが第２摺接面７２Ａに摺接することで給送ローラ２３が下方に移動する。下方に移動した給送ローラ２３は、アーム２２により、セカンドトレイ７０の第１面７３に載置された第２被記録媒体１９Ｂに押し付けられる。給送ローラ２３は、回転軸２１を介して駆動部により回転されることで第２被記録媒体１９Ｂを搬送路３１に送り出す。
【００４５】
セカンドトレイ７０が第２姿勢にある状態において、トレイ体１６がプリンタ筐体１２に押し込まれた時における給送部２０の動作について説明がされる。トレイ体１６がプリンタ筐体１２に押し込まれると、まず、アーム２２は、メイントレイ６０の後壁６３に摺接することで持ち上げられる。持ち上げられたアーム２２は、メイントレイ６０の側壁６２に乗り上げる。その後、アーム２２の摺接部２２Ａが上述の第１摺接面６２Ａに摺接することで給送ローラ２３が下方に移動する。下方に移動した給送ローラ２３は、メイントレイ６０の第１載置面６１Ａに載置された第１被記録媒体１９Ａに押し付けられる。給送ローラ２３は、回転されることで第１被記録媒体１９Ａを搬送路３１に送り出す。
【００４６】
上述のように、ユーザは、セカンドトレイ７０を回動させることで、第１被記録媒体１９Ａと第２被記録媒体１９Ｂとの一方を選択して画像記録装置に画像を記録させることができる。なお、トレイ体１６がプリンタ筐体１２から引き出された場合は、アーム２２の摺接部２２Ａが第１摺接面６２Ａ又は第２摺接面７２Ａに摺接することで給送ローラ２３が持ち上げられる。つまり、トレイ体１６をプリンタ筐体１２から引き出す際に、給送ローラ２３がメイントレイ６０の後壁６３に引っ掛かることがない。
【００４７】
図４に示されたように、セカンドトレイ７０は、第２サイドガイド機構９０と、第２リアガイド１００と、を備えている。セカンドトレイ７０の基部７１には、第２リアガイド１００が挿通される貫通孔７７が設けられている。この貫通孔７７は、左右方向９における基部７１の中央部に、前後方向８に沿って延びるように設けられている。基部７１の第１面７３における貫通孔７７の左右両側には、左右方向９に沿って延びる多数の位置決め溝（図示せず）が、前後方向８に並ぶように設けられている。また、基部７１の第１面７３には、葉書や封書など載置される第２被記録媒体１９Ｂの種類に応じた第２リアガイド１００の位置を表す文字や図形が表記された不図示の第１表示部が設けられている。
【００４８】
［第２リアガイド１００］
第２リアガイド１００は、本体部１０１と、当接部１０２と、止め部１０３と、結合部１０４と、を備えている。本体部１０１及び当接部１０２は、基部７１の第１面７３側に配置されている。止め部１０３は、基部７１の第２面７４側に配置されている。結合部１０４は、上述の貫通孔７７において基部７１を貫き、本体部１０１及び当接部１０２と止め部１０３とを結合している。本体部１０１、当接部１０２及び止め部１０３の左右方向９における幅寸法は、いずれも、貫通孔７７の左右方向９における幅寸法よりも大きく設定されている。つまり、第２リアガイド１００は、貫通孔７７が延びる方向に沿って移動可能に基部７１に保持されている。当接部１０２は、第２被記録媒体１９Ｂの前側端縁と当接するものであり、第１姿勢において本体部１０１の後方に配置されている。当接部１０２又は本体部１０１は、基部７１に設けられた上述の位置決め溝の１つに嵌ることができる不図示の位置決め爪を備えている。当接部１０２又は本体部１０１が弾性変形可能なように、第２リアガイド１００は合成樹脂材料で形成されている。第２リアガイド１００は請求項に記載の第２保持部に相当する。
【００４９】
ユーザは、本体部１０１と当接部１０２とにおいて第２リアガイド１００を摘み、当接部１０２又は本体部１０１を撓めて位置決め爪を位置決め溝から外す。その後、ユーザは、貫通孔７７が延びる方向に沿って第２リアガイド１００をスライドさせる。ユーザが第２リアガイド１００から指を離すと、撓んでいた当接部１０２又は本体部１０１が弾性力により元の形状に戻り、位置決め爪が位置決め溝に嵌って第２リアガイド１００が固定される。ユーザは、上記第１表示部に表記された文字や図形により、載置する第２被記録媒体１９Ｂの種類（大きさ）に応じた位置に第２リアガイド１００を移動させる。第２リアガイド１００は、嵌合片７５と共に第２被記録媒体１９Ｂを挟むことで、第２被記録媒体１９Ｂを位置決めする。なお、第２被記録媒体１９Ｂの補給手順については、後で詳述される。
【００５０】
第２リアガイド１００は、位置決め溝により固定されるから、セカンドトレイ７０が回動されても位置が変化しない。セカンドトレイ７０が回動された場合において、セカンドトレイ７０に載置された第２被記録媒体１９Ｂは、回動基端部側に配置された第２リアガイド１００に支持され、回動の径方向において位置ずれすることがない。なお、第２リアガイド１００は、移動可能且つ固定可能であれば、他の周知の構成のものが用いられてもよい。
【００５１】
［第２サイドガイド機構９０］
第２サイドガイド機構９０は、ピニオンギア９１と、左右一対のサイドガイド９２と、左右一対のラックギア９６と、を備えている。ピニオンギア９１は、左右方向９におけるセカンドトレイ７０の基部７１の中央部に回動可能に設けられている。サイドガイド９２は、基部７１の第１面７３側におけるピニオンギア９１の左方及び右方に配置されている。ラックギア９６は、サイドガイド９２に結合され且つピニオンギア９１と噛み合うように設けられている。以下、セカンドトレイ７０が図４の第１姿勢にある状態であるものとして第２サイドガイド機構９０の構成が説明される。
【００５２】
サイドガイド９２は、支持板９３と、側板９４と、天板９５と、を備えている。支持板９３は、厚み方向の一面が基部７１の第１面７３とほぼ面一となるように第１面７３側に配置されている。側板９４は、支持板９３の左端部又は右端部から上方に向かって突出している。天板９５は、側板９４の上端の前部から右方又は左方に向かって突出し、上下方向７において支持板９３の前部及び第１面７３と対向している。右側のサイドガイド９２は、前方から見てコの字状に形成されている。左側のサイドガイド９２は、前方から見て逆コの字状に形成されている。つまり、一対のサイドガイド９２は左右対称である。天板９５は請求項に記載の第１保持部に相当する。
【００５３】
右側（又は左側）のサイドガイド９２が右向き（又は左向き）に移動されると、右側（又は左側）のサイドガイド９２と結合された右側（又は左側）のラックギア９６が右向き（又は左向き）に移動し、ラックギア９６と噛み合うピニオンギア９１が回転する。ピニオンギア９１が回転することにより、左側（又は右側）のラックギア９６が左向き（又は右向き）に移動し、このラックギア９６と結合された左側（又は右側）のサイドガイド９２が左向き（又は右向き）に移動する。つまり、左右一対のサイドガイド９２は、互いに近づく向き又は互いに離れる向きに連動して移動する。
【００５４】
ユーザは、左右一対のサイドガイド９２の間に第２被記録媒体１９Ｂを配置した後、左右一対のサイドガイド９２を互いに近づく向きにスライドさせ、左右の側板９４で第２被記録媒体１９Ｂを挟む。又は、ユーザは、載置する第２被記録媒体１９Ｂの種類（大きさ）に応じた位置にサイドガイド９２を移動させた後、第２被記録媒体１９Ｂを左右のサイドガイド９２の間に入れる。第２被記録媒体１９Ｂは、基部７１と、左右のサイドガイド９２と、第２リアガイド１００と、嵌合片７５とで形成された収容空間に収容される。
【００５５】
サイドガイド９２の側板９４は、第１面７３に載置された第２被記録媒体１９Ｂの左右の端縁と当接することで、給送ローラ２３により第２被記録媒体１９Ｂが送り出される際に、第２被記録媒体１９Ｂを後方に案内する。つまり、第２サイドガイド機構９０は、左右方向９における第２被記録媒体１９Ｂの位置決めの機能と、第２被記録媒体１９Ｂの斜行を防止する機能とを有している。
【００５６】
なお、一方のサイドガイド９２に結合された操作つまみが設けられてもよい。また、第２リアガイド１００と同様に、位置決めリブと位置決め溝とにより、サイドガイド９２を複数の位置で固定可能としてもよい。また、載置される第２被記録媒体１９Ｂの種類（大きさ）に応じたサイドガイド９２の位置を表示する文字や図形が表記された第２表示部が第１面７３に設けられてもよい。
【００５７】
本実施形態では、センタ合わせの第２サイドガイド機構９０が説明されたが、被記録媒体１９の左右方向９の端がセカンドトレイ７０の左右方向９の一方の端に一致するように被記録媒体１９の位置決めを行う端合わせのサイドガイド機構が用いられても良い。
【００５８】
［排紙トレイ８０］
排紙トレイ８０は、図４に示されたように、直方体状の外形を有している。排紙トレイ８０の左右方向９における幅寸法は、セカンドトレイ７０の左右方向９における幅寸法よりも大きく設定されている。本実施形態では、排紙トレイ８０の幅寸法は、メイントレイ６０の左右方向９における幅寸法と略同一寸法に設定されている。排紙トレイ８０の前後方向８における奥行き寸法は、メイントレイ６０の前後方向８における奥行き寸法の約半分程度であって、セカンドトレイ７０の奥行き寸法よりも若干大きく設定されている。
【００５９】
排紙トレイ８０は、図４に示されたように、前面がメイントレイ６０の前壁６４の外側面とほぼ面一になるようにメイントレイ６０の前部の上方に配置され、メイントレイ６０の開口の前部を閉塞している。排紙トレイ８０の上下方向７における寸法である厚み寸法は、排紙ローラ対５４から排出された第１被記録媒体１９Ａを上面である支持面８０Ａで正常に受けることができるように設定されている。つまり、支持面８０Ａが排紙ローラ対５４から離れすぎないように、排紙トレイ８０の厚み寸法は設定されている。
【００６０】
また、排紙トレイ８０は、メイントレイ６０の側壁６２に設けられた上述の回動受け部に後端部が支持されている。つまり、排紙トレイ８０は、図４における前端が回動先端となり、後端部が回動基端部となるようにメイントレイ６０に回動可能に支持されている。排紙トレイ８０は、回動されることにより、メイントレイ６０の開口の前部を塞ぐ図４及び図５の閉姿勢、及び、当該開口の前部を開放する図７の開姿勢に姿勢変化する。排紙トレイ８０は、閉姿勢において、メイントレイ６０の左右の側壁６２及び前壁６４に支持されている。メイントレイ６０には、例えば、排紙トレイ８０の開き角度α（図７参照）を制限するストッパが設けられる。排紙トレイ８０が開き角度αまで開かれたときに、ストッパが排紙トレイ８０に当接する。開き角度αは、例えば、排紙トレイ８０が開姿勢を維持できるように９５度以上に設定され、また、排紙トレイ８０を閉じ易いように１００度以下に設定される。以下では、特に言及されない限り、排紙トレイ８０は閉姿勢にあるものとして説明がされる。
【００６１】
排紙トレイ８０は、図４〜６に示されたように、セカンドトレイ７０が嵌ることができる嵌合凹所８１を備えている。嵌合凹所８１は、上部及び後部が開口し、左右の第１周壁８２と、前側の第２周壁８３と、底８４とを備えている。
【００６２】
嵌合凹所８１の左右の各第１周壁８２の後端側には、セカンドトレイ７０に設けられた軸突部８５が挿入される円形の挿入孔８２Ａが設けられている。挿入孔８２Ａにより、排紙トレイ８０はセカンドトレイ７０を回動可能に支持する。挿入孔８２Ａは、排紙トレイ８０の回動軸線上に設けられている。つまり、排紙トレイ８０の回動軸線と排紙トレイ８０の回動軸線とは、ほぼ一致する。
【００６３】
本実施形態では、排紙トレイ８０の左右の両側壁の下端から切り欠かれた操作切欠き８０Ｂが設けられている。ユーザは、操作切欠き８０Ｂに指を入れて排紙トレイ８０を回動させる。操作切欠き８０Ｂにより、ユーザは、排紙トレイ８０を容易に回動させることができる。操作切欠き８０Ｂは請求項に記載の操作部に相当する。
【００６４】
図６（Ｂ）に示されたように、第２周壁８３の内側面は、第２姿勢にあるセカンドトレイ７０の基部７１の前端と第２周壁８３との間に指を入れる隙間７９が形成されるように、後方に向かうに従って下がる傾斜面に形成されている。ユーザは、基部７１の前端と第２周壁８３との間に指を入れ、第１姿勢にあるセカンドトレイ７０を回動させる。
【００６５】
左右方向９における嵌合凹所８１の幅寸法、すなわち、左右一対の第１周壁８２の離間寸法は、第１周壁８２がセカンドトレイ７０の支持脚７２の外側面に近接するように設定されている。この第１周壁８２に、第２姿勢にあるセカンドトレイ７０の係止用の左右一対の係止部８６が設けられている。各係止部８６は、嵌合凹所８１の左右の第１周壁８２の一部をそれぞれ切り欠くことにより形成された左右一対の収容切欠き８９内に配置されている。係止部８６は、弾性片８７と、係止爪８８と、を備えている。弾性片８７は、左右方向９を厚み方向とする板状に形成されており、嵌合凹所８１の底８４から突出している。弾性片８７は、回動における被係止リブ７６の軌道上から外れた位置に設けられており、被係止リブ７６と当接することがない。排紙トレイ８０は、弾性片８７が厚み方向に弾性変形可能な合成樹脂材料で形成されている。係止爪８８は、左右方向９における排紙トレイ８０の中央部に向かって弾性片８７の突出の先端部から突出し、基部７１の回動における被係止リブ７６の軌道上に位置している。係止爪８８と被係止リブ７６との少なくとも一方には、相手が摺接可能な傾斜面が設けられる。本実施形態では、係止爪８８に傾斜面８８Ａが設けられている。
【００６６】
セカンドトレイ７０が図４の第１姿勢から図５の第２姿勢に姿勢変化されて嵌合凹所８１に嵌め込まれる際において、セカンドトレイ７０に設けられた被係止リブ７６は、係止爪８８の傾斜面８８Ａに摺接することで弾性片８７を撓ませ、係止爪８８の下に潜り込む。つまり、セカンドトレイ７０は、いわゆるスナップフィットにより排紙トレイ８０に係止される。嵌合凹所８１に嵌ったセカンドトレイ７０は、排紙トレイ８０に係止されることで、排紙トレイ８０と一体で回動可能となる。
【００６７】
嵌合凹所８１にセカンドトレイ７０が嵌っている状態、且つ、排紙トレイ８０が開姿勢である状態（図７（Ａ）参照）においては、係止爪８８に被係止リブ７６が引っ掛かり、セカンドトレイ７０は排紙トレイ８０に支持される。つまり、セカンドトレイ７０はメイントレイ６０の後壁６３側に倒れ込むことなく排紙トレイ８０に支持される。本実施形態では、図７（Ａ）に示された状態において、係止爪８８及び被係止リブ７６に加わる負荷を低減するため、上述の係止部８６は、第１周壁８２の回動先端寄りの位置、すなわち、回動の支点から遠い位置に設けられている。係止爪８８及び被係止リブ７６に加わる負荷を小さくできるから、係止爪８８と被係止リブ７６との係合の解除に必要な力を小さくしても、図７（Ａ）に示された状態において、セカンドトレイ７０を排紙トレイ８０で保持することができる。従って、図８に示されたように、第２姿勢にあって嵌合凹所８１に嵌ったセカンドトレイ７０を単独で回動させる場合において、ユーザは、係止爪８８と被係止リブ７６との係合を容易に解除することができる。なお、開き角度αが９０度に近い方が、係止爪８８及び被係止リブ７６に加わる負荷を小さくでき、係止爪８８と被係止リブ７６との係合の解除に必要な力をより小さくできる。
【００６８】
セカンドトレイ７０は、嵌合凹所８１に嵌っている状態においては、上記収容空間が嵌合凹所８１の周壁８２、８３に覆い隠されている。従って、セカンドトレイ７０が第２姿勢にあってメイントレイ６０に載置された第１被記録媒体１９Ａに画像が記録される場合において、メイントレイ６０に補給されるべき小型の第１被記録媒体１９Ａが誤ってセカンドトレイ７０に補給され、当該第１被記録媒体１９Ａが送り出されないという問題が生じることを抑制することができる。
【００６９】
［トレイ体１６での画像記録後の被記録媒体１９の支持について］
セカンドトレイ７０が第１姿勢である場合は、上述のようにセカンドトレイ７０に載置された小型の第２被記録媒体１９Ｂに画像が記録される。画像が記録された小型の第２被記録媒体１９Ｂは、排紙ローラ対５４から排出される。排出された小型の第２被記録媒体１９Ｂは、嵌合凹所８１の底８４上に積み重なる。嵌合凹所８１は、セカンドトレイ７０が嵌る凹所であるから、セカンドトレイ７０に載置された小型の第２被記録媒体１９Ｂは、嵌合凹所８１内に収容され得る。
【００７０】
セカンドトレイ７０が第２姿勢である場合は、メイントレイ６０に載置された第１被記録媒体１９Ａに画像が記録される。画像が記録された第１被記録媒体１９Ａは、排紙ローラ対５４から排出される。ここにおいて、上下方向７における嵌合凹所８１の深さ寸法は、セカンドトレイ７０が嵌合凹所８１に嵌った状態において、セカンドトレイ７０の第２面７４と排紙トレイ８０の支持面８０Ａとがほぼ面一となるように設定されている。従って、排紙ローラ対５４から排出されたＡ４サイズなどの大型の第１被記録媒体１９Ａは、排紙トレイ８０及びセカンドトレイ７０上に積み重なる。葉書など小型の第１被記録媒体１９Ａは、セカンドトレイ７０上に積み重なる。
【００７１】
［トレイ体１６への被記録媒体１９の補給手順について］
最初に、セカンドトレイ７０が図５の第２姿勢にある状態においてトレイ体１６のメイントレイ６０に第１被記録媒体１９Ａが載置される場合について説明がされる。トレイ体１６は、ユーザによりプリンタ筐体１２から引き出されることにより、排紙トレイ８０が設けられた前部がプリンタ筐体１２の外に出る。その後、ユーザにより排紙トレイ８０が開かれ、メイントレイ６０に第１被記録媒体１９Ａが載置される。また、ユーザにより第１サイドガイド機構６５及び第１リアガイドが操作されることで、第１被記録媒体１９Ａが位置決めされる。メイントレイ６０に第１被記録媒体１９Ａを載置するに当たり、排紙トレイ８０の嵌合凹所８１に収容されているセカンドトレイ７０は、排紙トレイ８０と一体で回動する。第２被記録媒体１９Ｂは、サイドガイド９２の天板９５及び第２リアガイド１００に支持されることで、セカンドトレイ７０が回動しても、セカンドトレイ７０から脱落することがない。
【００７２】
次に、セカンドトレイ７０が図４の第１姿勢にある状態においてトレイ体１６のメイントレイ６０に第１被記録媒体１９Ａが補給される場合のトレイ体１６の動作について説明がされる。セカンドトレイ７０が第１姿勢にあって排紙トレイ８０に係止されていない状態では、排紙トレイ８０は単独で回動される。回動された排紙トレイ８０は、図７（Ｂ）に示された開姿勢においてメイントレイ６０に支持される。排紙トレイ８０が回動された後、上述と同様にユーザにより第１被記録媒体１９Ａがメイントレイ６０に補給される。
【００７３】
上述されたように、排紙トレイ８０の回動軸線とセカンドトレイ７０の回動軸線とがほぼ一致する位置に軸突部８５が設けられているから、排紙トレイ８０の回動によりセカンドトレイ７０の回動軸線は変位せず、第１姿勢にあるセカンドトレイ７０は動かない。つまり、第１姿勢にあるセカンドトレイ７０により排紙トレイ８０の回動が阻害されたり、第１姿勢にあるセカンドトレイ７０の前端部がメイントレイ６０の後壁６３から脱落したりすることがない。
【００７４】
次に、セカンドトレイ７０に第２被記録媒体１９Ｂを補給する動作について説明がされる。セカンドトレイ７０が第１姿勢にある場合は、第１面７３は、上面であり、第２被記録媒体１９Ｂが載置され得る。つまり、セカンドトレイ７０の第１姿勢は、第２被記録媒体１９Ｂを補給可能な補給姿勢である。
【００７５】
セカンドトレイ７０に設けられた第２リアガイド１００及び第２サイドガイド機構９０は、セカンドトレイ７０に第２被記録媒体１９Ｂを補給する前に、第２被記録媒体１９Ｂの種類に応じた位置にユーザにより移動される。その後、第１面７３に第２被記録媒体１９Ｂが載置される。その際、第２被記録媒体１９Ｂは、第２サイドガイド機構９０に当接することで左右方向９の両端縁が案内され、前側の端縁が第２リアガイド１００と当接することで所定位置に載置される。移動された左右一対のサイドガイド９２により第２被記録媒体１９Ｂが挟まれる。なお、先に第２被記録媒体１９Ｂを第１面７３に載置し、その後、第２サイドガイド機構９０及び第２リアガイド１００がユーザにより移動されることで、第２被記録媒体１９Ｂと、第２サイドガイド機構９０及び第２リアガイド１００とが当接し、第２被記録媒体１９Ｂが所定位置に載置されても、もちろん良い。
【００７６】
なお、図８（Ｂ）のように、セカンドトレイ７０を立てて第２被記録媒体１９Ｂを落とし込むことで第２被記録媒体１９Ｂを補給することもできる。
【００７７】
［本実施形態の効果］
本実施形態では、上述されたように、第２被記録媒体１９Ｂが載置される第１面７３は、セカンドトレイ７０が第１姿勢にある場合に上面となり、セカンドトレイ７０が第２姿勢にある場合に下面となる。従って、ユーザは、第１面７３又は上記収容空間に収容された第２被記録媒体１９Ｂを視認できるか否か、若しくは、第１面７３に第２被記録媒体１９Ｂを載置できるか否かにより、第１被記録媒体１９Ａに画像が記録される状態か、第２被記録媒体１９Ｂに画像が記録される状態かを判断できる。つまり、本実施形態の画像記録装置は、スライドによりセカンドトレイがメイントレイ上を移動する従来構成の画像記録装置よりも、上記状態の違いを容易にユーザに識別させることができる。なお、第１表示部や第２表示部や第２サイドガイド機構９０や第２リアガイド１００が第１面７３に設けられているから、これら第１表示部等が視認可能か否かによっても上記状態の違いを識別させることができ、当該識別が更に容易になる。
【００７８】
なお、上記第２姿勢における上記第２面７４が上記第１姿勢における上記第１面７３の上方となる構成でなく、第２姿勢における上面の第２面７４と、第１姿勢における第１面７３とが同じ高さであってもよい。但し、上記の構成が採用されることにより、排紙ローラ対５４と、排紙ローラ対５４から排出された被記録媒体１９を受ける部材（セカンドトレイ７０）との距離を小さくでき、第１被記録媒体１９Ａを正常に受けることができる。特に、基板や両面印刷のためのスイッチバック経路等、さらなる部材や機構などが排紙ローラ対５４の近傍に追加された場合、排紙ローラ対５４と、排紙ローラ対５４から排出された被記録媒体１９を受ける部材との距離が大きくなってしまう。その結果、排紙ローラ対５４から排出された被記録媒体１９が上記部材に到達するまでに丸まったりして正常に排出されない虞がある。しかしながら、上記構成によって、排紙ローラ対５４と、排紙ローラ対５４から排出された被記録媒体１９を受ける部材との距離を小さくでき、更に、排紙トレイ８０が設けられたことにより、本実施形態の画像記録装置は、被記録媒体１９を正常に受けることができる。
【００７９】
また、第２サイドガイド機構９０及び第２リアガイド１００が設けられたことにより、本実施形態の画像記録装置は、セカンドトレイ７０の回動において第２被記録媒体１９Ｂの脱落を防止することができる。
【００８０】
なお、本実施形態では、湾曲する搬送路３１と給送ローラ２３とを備えた画像記録装置本体１１にトレイ体１６が装着される構成が説明されが、この構成の画像記録装置本体１１に限られるものではない。セカンドトレイ７０の姿勢変化により送り出す被記録媒体１９を変えることができる画像記録装置本体であれば、他の構成の画像記録装置本体が用いられても良い。
【００８１】
また、本実施形態では、セカンドトレイ７０が回動可能に設けられた構成が説明されたが、セカンドトレイ７０が着脱自在に設けられ、着脱により上記第１姿勢及び第２姿勢に姿勢変化する構成が採用されてもよい。但し、着脱よりも回動の方がセカンドトレイ７０を姿勢変化させる際におけるユーザの手間が少なく、画像記録装置の使い勝手が良い。
【００８２】
また、本実施形態では、排紙トレイ８０が回動可能に設けられた構成が説明されたが、排紙トレイ８０は、着脱自在に設けられてもよい。セカンドトレイ７０が第２姿勢にあってメイントレイ６０に載置された第１被記録媒体１９Ａに画像が記録される場合においては、セカンドトレイ７０と共に排紙トレイ８０がメイントレイ６０から外され、第１被記録媒体１９Ａがメイントレイ６０に補給される。
【００８３】
また、排紙トレイ８０はメイントレイ６０に固定されてもよい。セカンドトレイ７０が第２姿勢にあってメイントレイ６０に載置された第１被記録媒体１９Ａに画像が記録される場合においては、例えば、トレイ体１６の後方から第１被記録媒体１９Ａがメイントレイ６０に補給される。
【００８４】
また、本実施形態では、セカンドトレイ７０が排紙トレイ８０に回動可能に支持された構成が説明されたが、セカンドトレイ７０がメイントレイ６０に回動可能に支持された構成が採用されてもよい。但し、セカンドトレイ７０が排紙トレイ８０に回動可能に支持された構成を採用することで、ユーザは、排紙トレイ８０とセカンドトレイ７０とを一緒に容易に回動することができる。
【００８５】
また、本実施形態では、第２姿勢においてセカンドトレイ７０の第２面７４が排紙トレイ８０の支持面８０Ａと面一になるような深さ寸法で嵌合凹所８１が形成された構成が説明されたが、第２姿勢において第２面７４が支持面８０Ａの下方に位置する構成であってもよい。Ａ４など大型の第１被記録媒体１９Ａは、排紙トレイ８０で受けられる。葉書など小型の第１被記録媒体１９Ａは、嵌合凹所８１内のセカンドトレイ７０で受けられる。小型の第２被記録媒体１９Ｂは上述と同様に嵌合凹所８１の底８４で受けられる。
【００８６】
また、本実施形態では、排紙トレイ８０の開き角度αを１００度以下とする構成が説明されたが、セカンドトレイ７０が第１姿勢となるまで排紙トレイ８０を開くことができる構成が採用されても良い。
【００８７】
［変形例１］
上述の実施形態では、トレイ体１６が排紙トレイ８０を備える構成が説明されたが、本変形例では、トレイ体１６が排紙トレイ８０を備えない構成が説明される。本変形例では、図９（Ａ）〜（Ｃ）に示されたように、トレイ体１６は、セカンドトレイ７０の代わりにセカンドトレイ１１０を備えている。セカンドトレイ１１０は、左右方向９の幅寸法がメイントレイ６０の左右方向９の幅寸法と略同一寸法となる大きさに形成されている。セカンドトレイ１１０は、メイントレイ６０に回動可能に支持されており、第１面７３が上面となる第１姿勢、及び第２面７４が上面となる第２姿勢に姿勢変化可能である。図示例では、セカンドトレイ１１０の左右両端部に左右一対の回動軸１１１が設けられている。この回動軸１１１を支持する回動軸受け１１２がメイントレイ６０の左右の側壁６２に設けられている。回動軸受け１１２は、メイントレイ６０の側壁６２の前後方向８における中央部に設けられている。セカンドトレイ１１０のその他に構成は、セカンドトレイ７０の構成と同じである。すなわち、セカンドトレイ１１０は、第１面７３が上面となる第１姿勢において第２被記録媒体１９Ｂが載置されることができ、第１面７３が下面となる第２姿勢において第２被記録媒体１９Ｂが載置されることができない。また、第１姿勢と第２姿勢との間で回動可能となっている。従って、ユーザは、第１面７３を視認できるか否か、又は、上記収容空間に収容された第２被記録媒体１９Ｂを視認できるか否か、若しくは、第１面７３に第２被記録媒体１９Ｂを載置できるか否かにより、第１被記録媒体１９Ａに画像が記録される状態か、第２被記録媒体１９Ｂに画像が記録される状態かを判断することができる。
【００８８】
回動軸１１１及び回動軸受け１１２は、上下方向７において、第１面７３よりも第２面７４に近い位置に形成されている。従って、第１姿勢における第１面７３よりも第２姿勢における第２面７４が上方となる。また、メイントレイ６０の前壁６４は、後壁６３よりも高くなるように形成されており、第２姿勢であるセカンドトレイ７０は、第２面７４が略水平となる。第１姿勢にあるセカンドトレイ１１０は、メイントレイ６０の左右の側壁６２及び後壁６３に支持される。第２姿勢にあるセカンドトレイ１１０は、メイントレイ６０の左右の側壁６２及び前壁６４に支持される。
【００８９】
本変形例では、セカンドトレイ１１０が第２姿勢にあってメイントレイ６０に載置された第１被記録媒体１９Ａに画像が記録された場合は、画像記録後の第１被記録媒体１９Ａは、セカンドトレイ１１０で受けられる。セカンドトレイ１１０の幅寸法はメイントレイ６０の幅寸法と略同一寸法であるから、第１被記録媒体１９Ａが大型であっても小型であっても、セカンドトレイ１１０で第１被記録媒体１９Ａを受けることができる。
【００９０】
セカンドトレイ１１０が第１姿勢にあってセカンドトレイ１１０に載置された第２被記録媒体１９Ｂに画像が記録された場合は、画像記録後の第２被記録媒体１９Ｂは、メイントレイ６０で受けられる。
【符号の説明】
【００９１】
１２・・・プリンタ筐体（本体）
１６・・・トレイ体（トレイ体）
２０・・・給送部（給送部）
４０・・・記録部（記録部）
５４・・・排紙ローラ対（排出部）
６０・・・メイントレイ（第１トレイ）
７０・・・セカンドトレイ（第２トレイ）
７３・・・第１面（第１面）
７４・・・第２面（第２面）
８０・・・排紙トレイ（第３トレイ）
【図１】
2012116646.tif 000003
【図２】
2012116646.tif 000004
【図３】
2012116646.tif 000005
【図４】
2012116646.tif 000006
【図５】
2012116646.tif 000007
【図６】
2012116646.tif 000008
【図７】
2012116646.tif 000009
【図８】
2012116646.tif 000010
【図９】
2012116646.tif 000011